(57)【要約】【課題】前後の針床の編針を使用してそれぞれ編成する二つの編地を、４枚ベッドの横編機を使用すれば総針編成で、端部が繋がる筒状編地として編成可能な、筒状編地およびその編成方法を提供する。【解決手段】前後に分れる編地のうちのＦＢに付属する前方編地を、編出しに続いて、コース毎に編成する際に、編幅の外側に接続用の掛け目を形成する。Ｓ７では、編針Ｃ〜Ｌ，ｃ〜ｌで前方編地の４コース目を編成しながら、編幅の外側の編針Ｂ，Ｍに掛け目を形成する。Ｓ９では、編針ｃ〜ｌ，Ｃ〜Ｌで、ＢＢに付属する後方編地の１コース目を編成する。Ｓ１０では、ＢＤの編針ｂ，ｍに係止している掛け目を、ＦＵの編針Ｃ，Ｌに目移しして重ね、前方編地と後方編地の１コース目同士が重ね目で接合される。【選択図】図２
2016017252.tif 000002
【特許請求の範囲】
【請求項１】
少なくとも前後一対の針床を備える横編機を用い、前針床に付属する前方編地と後針床に付属する後方編地を少なくとも編幅の一端で繋いで編成する筒状編地の編成方法において、
前方編地と後方編地のいずれか一方の編地を編出し、該編出しに続いて、所望数のコース編成を行うとともに、該コース編成の間に、一方の編地の編幅の外側に複数の接続用の増し目を順次形成し、
一方の編地の編成後、該一方の編地を付属する針床に退避させ、
前方編地と後方編地のうちの他方の編地を編出し、該編出しに続いて、所望数のコース編成を行うとともに、該コース編成の間に、一方の編地のコース編成の間に形成した複数の接続用の増し目を、他方の編地の編幅側端の編目に目移しして重ねて、ウェール方向に延びる接合部を形成し、
前方編地と後方編地を繋いで編成する、
ことを特徴とする筒状編地の編成方法。
【請求項２】
前記横編機は、前後に上下二段の針床を備え、
前記前方編地は、前方の下段の針床と後方の上段の針床とを使用して、総針編成し、
前記後方編地は、後方の下段の針床と前方の上段の針床とを使用して、総針編成する、
ことを特徴とする請求項１記載の筒状編地の編成方法。
【請求項３】
前記一方の編地を編成する際に、コース毎に増し目を形成し、形成した順序に従って、前記他方の編地を編成するコース毎に、編幅の端部に重ねて接合部を形成する、
ことを特徴とする請求項１または２記載の筒状編地の編成方法。
【請求項４】
前記増し目は、前記一方の編地の編幅の外側で、編幅の端部近傍に形成し、
前記他方の編地の編幅の外側で、編幅の端部から近い位置に順次配置しておく、
ことを特徴とする請求項１〜３のいずれか一つに記載の筒状編地の編成方法。
【請求項５】
少なくとも前後一対の針床を備える横編機を用いて編成され、ウェール方向に延びる筒状編地において、
筒状編地の周方向をコース方向とし、編出しからウェール方向に編成され、コース方向の端部に接合用の増し目を有する一方編地と、
筒状編地の周方向をコース方向とし、一方編地の編出しとは異なる編出しからウェール方向に編成される他方編地と、
一方編地の増し目を、他方編地のコース方向の端部の編目に重ねて形成され、一方編地と他方編地とを繋ぐ接合部とを、
含むことを特徴とする筒状編地。
【発明の詳細な説明】
【技術分野】
【０００１】
本発明は、少なくとも前後一対の針床を有する横編機を使用して編成する、筒状編地およびその編成方法に関する。
【背景技術】
【０００２】
従来から、前後に一対の針床を備える横編機が広く用いられている。このような横編機では、前針床と後針床との一方で編成するコースの終端を他方で編成するコースの始端に、前後で対向する編幅の端部間で繋ぎながら、衣服などを筒状に編んで一体的に形成することができる（たとえば、特許文献１参照）。特許文献１の筒状編地は、前針床では横行の一方に編成し、針床間を編端で繋ぎながら、後針床では横行の他方に編成することを繰返して形成される。ただし、裾は、リブ編みにしている。特許文献１の第５欄第１行〜第８行には、「リブ編みは筒状の形状では作れないので、別にそれぞれの筒状部分に対して二つの平たいストリップ（ｓｔｒｉｐ）として編まれ、一方のストリップが先ず編まれた後に一方の床の一つ置きの針に保持され、これに対して他方の平たいストリップが他方の床の一つ置きの針に保持される。この工程は第２図に示してあり、」と記載されている。特許文献１の第１図、第５図〜第９図には、他の部分は筒状でも、リブ編み４は二つのストリップに分れている状態の編地が記載され、第１４欄第１３行〜第１８行に、仕上げでリブストリップの縁を縫う操作が必要である旨が記載されている。
【０００３】
図７は、前後に上下二段ずつの針床を備える４枚ベッドの横編機で編成可能な筒状編地を示す。以下、針床は、前針床ＦＢの下段をＦＤ、上段をＦＵ、後針床ＢＢの下段をＢＤ、上段をＢＵでそれぞれ示す。４枚ベッドの横編機では、前後一対の針床を備える２枚ベッドの横編機で一つ置きの編針を使用する針抜き編成で編成する編地を、編幅内ではすべての編針を使用する総針編成で編成可能である。図７では、ＦＤとＢＵ、ＢＤとＦＵで、それぞれ前後の針床を使用して総袋編みを行う場合を想定しているけれども、対向する針床で編針を半ピッチずつずらして前後の針床のすべての編針でリブ編成する総リブ編みでも同様に可能である。
【０００４】
図７（ａ）に示すように、４枚ベッドの横編機を使用すれば、二枚の袋編みの編地をそれぞれ総針で総袋編み編地として編成することができ、同様に、二枚の総リブ編みの編地も編成可能である。しかしながら、前後の針床の総針で編成する総袋編みや総リブ編みの編地を、コースを繋ぎながら筒状に編成しようとすると、二枚のうちの一方のコース編成と他方の保持とを交互に行わなければならない。一方の編地のコースを前後の針床の総針で編成する際には、他方の編地を片側の針床の編針に編目を重ねて保持する必要があるけれども、他方の編地のコースを前後の針床の総針で編成するように戻すことができなくなってしまう。両方の針床を使用してそれぞれ編成する二つの編地のコースを繋いで筒状編地にするためには、一方の編地の編成中に他方の編地を保持する空き針が必要となる（たとえば特許文献２参照）。特許文献２では、図１２、図１５、図１８、図２１に示すように、４枚ベッドの横編機でリブ編みの編地をコースを繋ぎながら筒状に編成するために、針抜き編成している。同様に、袋編みの編地を、コースを繋ぎながら筒状に編成するためには、図７（ｂ）に示す針抜き編成を行う必要がある。
【先行技術文献】
【特許文献】
【０００５】
【特許文献１】特公昭５０−２６６５号公報
【特許文献２】特許第２５１４４８９号公報
【発明の概要】
【発明が解決しようとする課題】
【０００６】
特許文献１に示されるような二つのストリップに分れるリブ編みの袖や裾を筒状にするためには、編成後の仕上げで縫製作業を行う必要がある。特許文献２に示すように、４枚ベッドの横編機を使用すれば、２枚ベッドの横編機と同様な針抜き編成で、リブ編みや袋編みの編地のコースを繋ぎながら筒状に編成することができる。ただし、筒状に編成される編地は、針抜き編成となるので、編針の配列ピッチに相応する本来のゲージ風合いにならなくなってしまう。２枚ベッドの横編機では、三つ置きの編針を使用する針抜き編成にすれば、特許文献１のようなリブ編みでも筒状に編成することができるけれども、編地の風合いはゲージ風合いからさらに粗くなってしまう。
【０００７】
本発明の目的は、前後の針床の編針を使用してそれぞれ編成する二つの編地を、４枚ベッドの横編機を使用すれば総針編成で、端部が繋がる筒状編地として編成可能な、筒状編地およびその編成方法を提供することである。
【課題を解決するための手段】
【０００８】
本発明は、少なくとも前後一対の針床を備える横編機を用い、前針床に付属する前方編地と後針床に付属する後方編地を少なくとも編幅の一端で繋いで編成する筒状編地の編成方法において、
前方編地と後方編地のいずれか一方の編地を編出し、該編出しに続いて、所望数のコース編成を行うとともに、該コース編成の間に、一方の編地の編幅の外側に複数の接続用の増し目を順次形成し、
一方の編地の編成後、該一方の編地を付属する針床に退避させ、
前方編地と後方編地のうちの他方の編地を編出し、該編出しに続いて、所望数のコース編成を行うとともに、該コース編成の間に、一方の編地のコース編成の間に形成した複数の接続用の増し目を、他方の編地の編幅側端の編目に目移しして重ねて、ウェール方向に延びる接合部を形成し、
前方編地と後方編地を繋いで編成する、
ことを特徴とする筒状編地の編成方法である。
【０００９】
また本発明で、前記横編機は、前後に上下二段の針床を備え、
前記前方編地は、前方の下段の針床と後方の上段の針床とを使用して、総針編成し、
前記後方編地は、後方の下段の針床と前方の上段の針床とを使用して、総針編成する、
ことを特徴とする。
【００１０】
また本発明で、前記一方の編地を編成する際に、コース毎に増し目を形成し、形成した順序に従って、前記他方の編地を編成するコース毎に、編幅の端部に重ねて接合部を形成する、
ことを特徴とする。
【００１１】
また本発明で、前記増し目は、前記一方の編地の編幅の外側で、編幅の端部近傍に形成し、
前記他方の編地の編幅の外側で、編幅の端部から近い位置に順次配置しておく、
ことを特徴とする。
【００１２】
さらに本発明は、少なくとも前後一対の針床を備える横編機を用いて編成され、ウェール方向に延びる筒状編地において、
筒状編地の周方向をコース方向とし、編出しからウェール方向に編成され、コース方向の端部に接合用の増し目を有する一方編地と、
筒状編地の周方向をコース方向とし、一方編地の編出しとは異なる編出しからウェール方向に編成される他方編地と、
一方編地の増し目を、他方編地のコース方向の端部の編目に重ねて形成され、一方編地と他方編地とを繋ぐ接合部とを、
含むことを特徴とする筒状編地である。
【発明の効果】
【００１３】
本発明によれば、前後の針床の一方と他方とにそれぞれ付属する一方の編地と他方の編地とは、一方の編地の編幅の外側に形成する増し目を他方の編地の端部に重ねて接合部を形成して繋ぐ。増し目を形成する一方の編地を先に編成し、後から編成する他方の編地の端部と増し目とを重ねて接合するので、前後の針床を使用して一方の編地を編成してから、一方の編地を付属する針床に退避させ、前後の針床を使用して他方の編地を編成しながら、編地のコースを繋ぎ、筒状編地を編成することができる。一方の編地と他方の編地とは、４枚ベッドの横編機を使用すれば、総針編成で、それぞれ編成することができる。
【００１４】
また本発明によれば、前後に上下二段の針床を有する４枚ベッドの横編機を使用し、総針編成で前方編地と後方編地とを編成し、端部が繋がる筒状編地を形成することができる。
【００１５】
また本発明によれば、一方の編地を編成するコース毎に形成した増し目を、形成した順序に従って、他方の編地を編成するコース毎に、編幅の端部に重ねて接合部を形成するので、一方の編地と他方の編地とを接合部でコース毎に繋ぐことができる。繋がりの順序が入れ替るような交叉も生じないので、接合部の見映えを良くすることができる。
【００１６】
また本発明によれば、増し目を、一方の編地の編幅の外側で、編幅の端部近傍に形成するので、増し目に繋がる渡り糸の長さを短くし、接合部での編目の割れを軽減することができる。形成した増し目を、他方の編地の編幅の外側で、編幅の端部から近い位置に配置するので、重ね目を形成して接合する処理を円滑に行うことができる。
【００１７】
さらに本発明によれば、筒状編地は、それぞれ異なる編出しを有する一方編地と他方編地とを、編幅の外側に設ける接合部で繋いで形成される。前後一対の針床を有する横編機で、前後の針床をそれぞれ使用して一方編地と他方編地とをコースを繋ぎながら編成することができない場合でも、一方編地を先に編成して、他方編地を後で編成しながら接合部で繋いで筒状にすることができる。
【図面の簡単な説明】
【００１８】
【図１】図１は、本発明の一実施例の編成方法の手順の一部を示す編成図である。
【図２】図２は、本発明の一実施例の編成方法の手順の一部で、図１に続く部分を示す編成図である。
【図３】図３は、本発明の一実施例の編成方法の手順の一部で、図２に続く部分を示す編成図である。
【図４】図４は、本発明の一実施例の編成方法の手順の一部で、図３に続く部分を示す編成図である。
【図５】図５は、本発明の一実施例の編成方法に従い、図１〜図４の手順で編成される筒状編地１の模式的な構成を示す斜視図および平面図である。
【図６】図６は、本発明の一実施例として編成される筒状編地１の他の例を示す平面図である。
【図７】図７は、４枚ベッドの横編機で、二枚の袋編みの編地をそれぞれ総針で総袋編みの編地として編成する状態と、袋編みの編地を編幅の両端でコースを繋ぐ筒状編地として針抜き編成する状態とを、示す編成図である。
【発明を実施するための形態】
【００１９】
以下、図１、図２、図３および図４で、本発明の一実施例としての筒状編地１の編成方法を手順に従って説明する。図５で、図１〜図４の手順で編成する筒状編地１の構成を示す。図６で、図１〜図４の手順で編成する筒状編地の他の例を示す。
【００２０】
各図の説明で、同等の部分は、同一の参照符を付して重複する説明を省略することがある。また、説明対象の図には記載されていない部分について、他の図に記載される参照符を付して言及する場合がある。
【実施例】
【００２１】
図１、図２、図３および図４は、本発明の一実施例として、前後に上下二段ずつの針床ＦＤ，ＦＵ，ＢＤ，ＢＵを有する４枚ベッドの横編機で、筒状編地１を、総袋編みの前方編地および他方編地を４コースずつ接合して編成する手順を示す。筒状編地１で、前方編地はＦＢに付属し、後方編地はＢＢに付属し、前方編地または後方編地の一方を先に編成し、他方を編成する際には、一方は付属する針床に退避させる。
【００２２】
各図は、左側のＳに続く数字で編成工程を、右側で前後の針床における編針での編成状態を、それぞれ示す。各編成工程は、編成カムおよび目移しカムを搭載するキャリッジの移動と、キャリッジの移動に連動する給糸口の移動とに対応する。ただし、キャリッジに搭載するカムシステムの数や構成に応じて、キャリッジの移動が複数の編成工程に対応する場合や、キャリッジの複数回の移動が一つの編成工程に対応する場合がある。編針は、説明の便宜上、実際の横編機に設けられている本数よりも少なく表示し、図１のＳ１に示す大文字Ａ，Ｂ，Ｃ，Ｄ，Ｅ，Ｆ，Ｇ，Ｈ，Ｉ，Ｊ，Ｋ，Ｌ，Ｍ，ＮでＦＢ側、小文字ａ，ｂ，ｃ，ｄ，ｅ，ｆ，ｇ，ｈ，ｉ，ｊ，ｋ，ｌ，ｍ，ｎでＢＢ側をそれぞれ示す。針床は、４段のうち、３段を図示し、図示の下段はＦＤ、中段はＦＵまたはＢＵ、上段はＢＤをそれぞれ示す。
【００２３】
Ｓ１では、前方編地をＦＤの編針Ｃ〜ＬおよびＢＵの編針ｃ〜ｌで、編出しに続く１コース目として編成する。編幅の外側となる編針Ｂ，Ｍには、接続用の増し目となる掛け目を形成する。なお、増し目は、割増やしなどでも形成することができる。Ｓ２では、Ｓ１でＦＤの編針Ｂ，Ｍに形成した掛け目を、ＢＤの編針ｂ、ｍに目移しする。Ｓ３では、ＦＤの編針Ｃ〜ＬおよびＢＵの編針ｃ〜ｌで前方編地の２コース目を編成しながら、編幅の外側となる編針Ｂ，Ｍに掛け目を形成する。Ｓ４では、Ｓ３でＦＤの編針Ｂ，Ｍに形成した掛け目を、ＢＤの編針ａ，ｎにそれぞれ目移しする。Ｓ５では、ＦＤの編針Ｃ〜ＬおよびＢＵの編針ｃ〜ｌで前方編地の３コース目を編成しながら、編幅の外側となる編針Ｂ，Ｍに掛け目を形成する。Ｓ６では、Ｓ５でＦＤの編針Ｂ，Ｍに形成した掛け目を、ＢＵを経由して、ＦＤで１目外側となる編針Ａ，Ｎにそれぞれ目移しする。Ｓ７では、ＦＤの編針Ｃ〜ＬおよびＢＵの編針ｃ〜ｌで前方編地の４コース目を編成しながら、編幅の外側となる編針Ｂ，Ｍに掛け目を形成する。
【００２４】
以上のように、前方編地は、前後の針床に付属させてそれぞれ編成する編地のうちの前方側として編成し、編出しに続いて、コース毎に、編幅の外側に接続用の増し目を掛け目で形成する。掛け目は、ＦＤで、前方編地の編幅の外側で、編幅の端部近傍に形成する。Ｓ８では、ＢＵの編針ｃ〜ｌで係止している編目を、ＦＤの編針Ｃ〜Ｌにそれぞれ目移しして重ねて、前方編地を付属するＦＢのうちのＦＤに退避させて保持する。前方編地をＦＤに退避させると、歯口では、ＢＤとＦＵとの間で後方編地の編成可能となる。ＦＤの編針Ａ，Ｂ，Ｍ，ＮおよびＢＤの編針ａ，ｂ，ｍ，ｎには、接合用の掛け目が残っている。
【００２５】
Ｓ９では、ＢＤの編針ｃ〜ｌおよびＦＵの編針Ｃ〜Ｌで、前方編地の編出しとは異なる編出しに続く後方編地の１コース目を編成する。Ｓ１０では、ＢＤの編針ｂ，ｍに係止している掛け目を、ＦＵの編針Ｃ，Ｌに目移しして重ねる。目移しする掛け目は、前方編地の１コース目を編成する際に形成され、ＦＵの編針Ｃ，ＬにはＳ９で編成した後方編地の１コース目の端部が係止されているので、前方編地と後方編地の１コース目同士が重ね目で接合される。掛け目は、形成した順に、ＦＵで接合を行う編幅の外側で、端部から近い位置に配置している。増し目となる掛け目を、前方編地の編幅の外側で、編幅の端部近傍に形成するので、増し目に繋がる渡り糸の長さを短くし、接合部での編目の割れを軽減することができる。
【００２６】
Ｓ１１では、ＢＤの編針ａ、ｎに係止されている掛け目を、ＦＵを経由してＢＤで内側となる編針ｂ，ｍに目移しする。この掛け目は、前方編地の２コース目の編成の際に形成している。Ｓ１２では、ＦＤの編針Ａ，Ｎに係止されている掛け目を、ＢＤの編針ａ，ｎに目移しする。この掛け目は、前方編地の３コース目の編成の際に形成している。
【００２７】
Ｓ１３では、ＢＤの編針ｃ〜ｌおよびＦＵの編針Ｃ〜Ｌで、後方編地の２コース目を編成する。ＦＵの編針Ｃ，Ｌでは、Ｓ１０で形成した重ね目がノックオーバーされて、前方編地の端部に形成した掛け目と後方編地の端部の編目とを繋ぐ編目が新たに形成される。Ｓ１４では、ＢＤの編針ｂ，ｍに係止している掛け目を、ＦＵの編針Ｃ，Ｌに目移しして重ねる。前方編地と後方編地の２コース目同士が重ね目で接合される。
【００２８】
Ｓ１５では、ＢＤの編針ａ、ｎに係止されている掛け目を、ＦＵを経由してＢＤで内側となる編針ｂ，ｍに目移しする。この掛け目は、前方編地の３コース目の編成の際に形成している。Ｓ１６では、ＢＤの編針ｃ〜ｌおよびＦＵの編針Ｃ〜Ｌで、後方編地の３コース目を編成する。ＦＵの編針Ｃ，Ｌでは、Ｓ１４で形成した重ね目がノックオーバーされて、前方編地の端部に形成した掛け目が後方編地の端部に繋がる。
【００２９】
Ｓ１７では、ＢＤの編針ｂ，ｍに係止している掛け目を、ＦＵの編針Ｃ，Ｌに目移しして重ねる。前方編地と後方編地の３コース目同士が重ね目で接合される。Ｓ１８では、ＦＤの編針Ｂ，Ｍに係止している掛け目を、ＢＤの編針ｂ，ｍに目移しする。この掛け目は、前方編地の４コース目の編成の際に形成している。Ｓ１９では、ＢＤの編針ｃ〜ｌおよびＦＵの編針Ｃ〜Ｌで、後方編地の４コース目を編成する。ＦＵの編針Ｃ，Ｌでは、Ｓ１４で形成した重ね目がノックオーバーされて、前方編地の端部に形成した掛け目が後方編地の端部に繋がる。Ｓ２０では、ＢＤの編針ｂ，ｍに係止している掛け目を、ＦＵの編針Ｃ，Ｌに目移しして重ねる。前方編地と後方編地の４コース目同士が重ね目で接合される。
【００３０】
以上のように、前後の針床に付属させる編地のうちの前方側となる前方編地を先に編成して後方側となる後方編地を後から編成しているけれども、後方編地を先に編成して前方編地を後から編成することもできる。先に編成する編地を一方の編地として、他方の編地は一方の編地とは異なる編出しに続いて、コース毎に編成する際に、編幅の端部に一方の編地の編成時に形成した増し目を重ねて接合する。増し目を、接合を行う編幅の外側で、他方編地の編幅の端部から近い位置に配置するので、重ね目を形成して接合する処理を円滑に行うことができる。ただし、増し目を形成する順序と、増し目を重ねて接合する順序とは、多少入替えることもできる。なお、増し目は、一方の編地を編成するコース毎に形成し、他方の編地を編成するコース毎に接合しているけれども、一方の編地を所望数のコース編成する間に、コースと同数、またはコース数よりも多いか少ないか程度となる複数形成しておけばよい。複数形成した増し目は、他方の編地を所望数のコース編成する間に、他方の編地の編幅側端の編目に目移しして重ねることで、ウェール方向に延びる接合部を形成する。本実施例のように、一方の編地を編成するコース毎に増し目を形成し、他方の編地を編成するコース毎に接合すれば、一方の編地と他方の編地とを接合部でコース毎に繋ぐことができる。繋がりの順序が入れ替るような交叉も生じないので、接合部の見映えを良くすることができる。
【００３１】
Ｓ２１では、ＦＵの編針Ｃ〜Ｌで係止している編目を、ＢＤの編針ｃ〜ｌにそれぞれ目移しして重ねる。以下、Ｓ２２で、ＦＤの編針Ｃ〜ＬとＢＤの編針ｃ〜ｌとで、編糸が周回して筒状に編地が編成される。
【００３２】
図５は、本発明の一実施例として、図１〜図４の手順で編成される筒状編地１の模式的な構成を示す。図５（ａ）に示すように、筒状編地１は、コース方向２Ｃ，３Ｃの編出し２ａ，３ａからウェール方向２Ｗ，３Ｗに延びる一方編地２と他方編地３とが編幅の両端の接合部４，５で接合されて形成される。一方編地２は、筒状編地１の周方向をコース方向２Ｃとし、編出し２ａからウェール方向２Ｗに編成され、コース方向２Ｃの端部に接合用の掛け目を増し目として有する。他方編地３は、筒状編地１の周方向をコース方向３Ｃとし、一方編地２の編出し２ａとは異なる編出し３ａからウェール方向３Ｗに編成される。図５（ｂ）に示すように、接合部４，５は、一方編地２の掛け目を、他方編地３のコース方向３Ｃの端部の編目に重ねて形成され、一方編地２と他方編地３とを接合する。掛け目を形成する順序と接合する順序とを合わせれば、見映えの良い接合部４，５を得ることができる。掛け目を形成する順序と、掛け目を重ねて接合する順序とを、多少入替えることもできる。
【００３３】
図６は、本発明の一実施例として編成される筒状編地１の他の例を示す。図６（ａ）に示すように、接合部４は、前方となる一方編地２と後方となる他方編地３とを編幅の一端のみで接合するだけでもよい。また、図６（ｂ）に示すように、たとえば前方の一方編地は、カーディガンの前身頃のように、前左身頃編地６と前右身頃編地７とに別れ、中間で分離していてもよい。
【００３４】
本実施例を適用すれば、４枚ベッドの横編機で総針編成する筒状編地１を得ることができるけれども、２枚ベッドの横編機でも、針抜き編成で筒状編地１を得ることができる。すなわち、本実施例の筒状編地１は、少なくとも前後一対の針床を備える横編機を用い、前針床に付属する前方編地と後針床に付属する後方編地を少なくとも編幅の一端で繋いで編成すればよい。編幅の両端で繋ぐ場合は、増し目を編幅の両側に形成して、接合部の形成も両側で行い、編幅の一端で繋ぐ場合は、増し目を編幅の一端側に形成して、接合部の形成も一端側で行えばよい。
【符号の説明】
【００３５】
１  筒状編地
２  一方編地
３  他方編地
４、５  接合部
６  前左身頃編地
７  前右身頃編地
【図１】
2016017252.tif 000003
【図２】
2016017252.tif 000004
【図３】
2016017252.tif 000005
【図４】
2016017252.tif 000006
【図５】
2016017252.tif 000007
【図６】
2016017252.tif 000008
【図７】
2016017252.tif 000009